【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
感光性要素を化学線で露光する露光装置であって、
前記感光性要素を支持する露光ベッドと、
前記露光ベッドに隣接して配置されたランプアセンブリであって、
互いに隣接する、目標照射量の前記化学線で前記感光性要素を露光するための少なくとも２つのランプと、
前記少なくとも２つのランプのうち少なくとも１つのランプに接続されて、該１つのランプが受け取る電力を調整する調整可能な安定器と、
を含むランプアセンブリと、
前記少なくとも２つのランプのうち少なくとも１つのランプに隣接して配置された、前記露光ベッドに当たる照射量を測定するためのセンサと、
前記調整可能な安定器への電力を前記測定した照射量の前記目標照射量との比較に基づいて調整して、前記少なくとも１つのランプから放射される前記照射量を前記目標照射量と一致させるように調整するコントローラと、
を含む露光装置。
【請求項２】
ランプから放射する放射線を、感光性要素を放射線で露光する露光装置において制御する方法であって、
ａ）互いに隣接する少なくとも２つの管状ランプ、および、前記少なくとも２つのランプのうち少なくとも１つのランプに接続された調整可能な安定器を含むランプアセンブリを使用して、露光ベッドに放射線を目標照射量で照射することであって、該１つのランプが受け取る電力を前記安定器により調整すること、
ｂ）前記少なくとも１つのランプから放射する照射量を前記露光ベッドに近接して測定すること、および、
ｃ）１つのランプの前記安定器への前記電力を前記測定した照射量の前記目標照射量との比較に基づいて調整して、前記少なくとも１つのランプから放射される前記照射量を前記目標照射量に一致させるように調整すること、
を含む方法。
【請求項３】
光重合性組成物の層を有する感光性要素からレリーフ印刷版を作製する方法であって、
少なくとも２つのランプから放射される照射量が目標照射量であるように、露光装置のランプから放射する放射線を請求項２の方法に従って制御すること、
前記目標照射量で放射した前記放射線で、マスクを介して前記感光性要素を画像露光して、前記層の少なくとも硬化部分および少なくとも未硬化部分を形成すること、および、
前記露光された要素を処理して前記未硬化部分を除去し、それにより、印刷に適したレリーフ構造を形成すること、
を含む方法。
【手続補正２】
【補正対象書類名】明細書
【補正対象項目名】０１１０
【補正方法】変更
【補正の内容】
【０１１０】
現像媒体は、放射線硬化性組成物の未照射または未硬化部分の溶融、または軟化、または液化温度を超える溶融温度を有するように選択され、同じ動作温度で良好な耐引き裂き性を有する。現像媒体は、不織布材料と、用紙と、繊維織布材料と、連続気泡発泡体材料と、それ自体が占める容積のかなりの部分を空所容積として概ね含む多孔質材料とから選択される。現像媒体はまた、溶融エラストマー組成物に対する高い吸収性をもたなければならない。
本発明は以下の実施の態様を含むものである。
〔１〕
感光性要素を化学線で露光する露光装置であって、
前記感光性要素を支持する露光ベッドと、
前記露光ベッドに隣接して配置されたランプアセンブリであって、
互いに隣接する、目標照射量の前記化学線で前記感光性要素を露光するための少なくとも２つのランプと、
前記少なくとも２つのランプのうち少なくとも１つのランプに接続されて、該１つのランプが受け取る電力を調整する調整可能な安定器と、
を含むランプアセンブリと、
前記少なくとも２つのランプのうち少なくとも１つのランプに隣接して配置された、前記露光ベッドに当たる照射量を測定するためのセンサと、
前記調整可能な安定器への電力を前記測定した照射量の前記目標照射量との比較に基づいて調整して、前記少なくとも１つのランプから放射される前記照射量を前記目標照射量と一致させるように調整するコントローラと、
を含む露光装置。
〔２〕
前記少なくとも２つのランプは、隣接する互いに平行な複数の管状ランプを含み、および、１つの調整可能な安定器を、前記複数のランプのそれぞれのランプのためにさらに含む、〔１〕に記載の露光装置。
〔３〕
前記少なくとも２つのランプは、隣接する互いに平行な複数の管状ランプであって、１つのランプから４つのランプまでの選択された群を構成する複数の管状ランプを含み、１つの調整可能な安定器が、それぞれのランプ群のために存在する、〔１〕に記載の露光装置。
〔４〕
前記少なくとも２つのランプは、隣接する互いに平行な複数の管状ランプを含み、および、前記照射量センサを移動させて、前記複数のランプから放射する前記照射量を第１の位置および第２の位置において測定する手段をさらに含む、〔１〕に記載の露光装置。
〔５〕
前記少なくとも２つのランプは、隣接する互いに平行な複数の管状ランプを含み、および、前記照射量センサを移動させて、前記複数のランプのそれぞれから放射する前記照射量を測定する手段をさらに含む、〔１〕に記載の露光装置。
〔６〕
前記照射量センサは前記露光ベッドに近接して配置され、および、前記少なくとも２つのランプのうちの１つのランプに近接して配置された、該１つのランプから放射する照射量を測定するための第２のセンサをさらに含み、前記コントローラは、前記調整可能な安定器への電力を調整する前に、前記ベッドセンサの前記測定した照射量を前記第２のセンサの前記測定した照射量と比較する、〔１〕に記載の露光装置。
〔７〕
各ランプは約１５〜約３５ｍＷ／ｃｍ2の照射量範囲で紫外線を放射することができる、〔１〕に記載の露光装置。
〔８〕
前記少なくとも２つのランプのうち１つのランプの温度を測定するセンサをさらに含む、〔１〕に記載の露光装置。
〔９〕
ランプから放射する放射線を、感光性要素を放射線で露光する露光装置において制御する方法であって、
ａ）互いに隣接する少なくとも２つの管状ランプ、および、前記少なくとも２つのランプのうち少なくとも１つのランプに接続された調整可能な安定器を含むランプアセンブリを使用して、露光ベッドに放射線を目標照射量で照射することであって、該１つのランプが受け取る電力を前記安定器により調整すること、
ｂ）前記少なくとも１つのランプから放射する照射量を前記露光ベッドに近接して測定すること、および、
ｃ）１つのランプの前記安定器への前記電力を前記測定した照射量の前記目標照射量との比較に基づいて調整して、前記少なくとも１つのランプから放射される前記照射量を前記目標照射量に一致させるように調整すること、
を含む方法。
〔１０〕
前記少なくとも２つのランプは、隣接する互いに平行な複数の管状ランプであって、１つのランプから４つのランプまでの選択された群を構成する複数の管状ランプを含み、前記調整可能な安定器への前記電力を調整することにより、少なくとも１つのランプ群に対して放射される前記照射量が調整される、〔９〕に記載の方法。
〔１１〕
前記露光ベッドに近接した、前記照射量を測定するセンサを、前記１つのランプに近接した第１の位置から、前記第２のランプが受け取る電力を調整するための第２の調整可能な安定器に接続された、前記少なくとも２つのランプのうち第２のランプに隣接する第２の位置に移動させること、並びに、前記第２のランプに対してステップｂ）およびステップｃ）を行うことをさらに含む、〔９〕に記載の方法。
〔１２〕
前記少なくとも２つのランプのうち任意のものの温度を測定すること、および、前記少なくとも２つのランプの温度を目標温度範囲に維持することを、それぞれのランプに対するステップｂ）およびステップｃ）の間にさらに含む、〔９〕に記載の方法。
〔１３〕
ステップｂ）の前に少なくとも１つのランプの温度を測定すること、および、前記測定温度が目標温度に一致するか、または目標温度範囲に入った後にステップｂ）を開始することをさらに含む、〔９〕に記載の方法。
〔１４〕
前記少なくとも２つのランプは、隣接する互いに平行な複数の管状ランプを含み、および、前記複数のランプに近接した位置で、前記少なくとも２つのランプのうち１つのランプから放射する照射量を測定することをさらに含む、〔９〕に記載の方法。
〔１５〕
前記露光ベッドに近接して測定した前記照射量を、前記複数のランプに近接して測定した、前記１つのランプから放射した前記照射量と比較すること、および、前記露光ベッドに近接して測定した前記照射量が、前記ランプから放射する前記測定照射量と同じになった後にステップｂ）を開始することをさらに含む、〔１４〕に記載の方法。
〔１６〕
前記調整可能な安定器への最大電力の約５％〜約１００％を、１つのランプの前記調整可能な安定器への前記電力を調整するステップのために使用することをさらに含む、〔９〕に記載の方法。
〔１７〕
前記調整可能な安定器への最大電力の約２０％〜約９０％を、１つのランプの前記調整可能な安定器への前記電力を調整するステップのために使用することをさらに含む、〔９〕に記載の方法。
〔１８〕
前記少なくとも２つのランプは、隣接する互いに平行な複数の管状ランプであって、全部がステップｂ）の前に照射する複数の管状ランプを含む、〔９〕に記載の方法。
〔１９〕
前記感光性要素を前記露光ベッド上に置くこと、および、前記安定器への前記電力を調整して、前記少なくとも１つのランプから放射される前記照射量を前記目標照射量に一致させるように調整した後、前記少なくとも２つのランプから照射した放射線で前記感光性要素を露光することをさらに含む、〔９〕に記載の方法。
〔２０〕
前記目標照射量は１７〜２１ｍＷ／ｃｍ2である、〔９〕に記載の方法。
〔２１〕
光重合性組成物の層を有する感光性要素からレリーフ印刷版を作製する方法であって、
少なくとも２つのランプから放射される照射量が目標照射量であるように、露光装置のランプから放射する放射線を〔９〕に記載の方法に従って制御すること、
前記目標照射量で放射した前記放射線で、マスクを介して前記感光性要素を画像露光して、前記層の少なくとも硬化部分および少なくとも未硬化部分を形成すること、および、
前記露光された要素を処理して前記未硬化部分を除去し、それにより、印刷に適したレリーフ構造を形成すること、
を含む方法。